(57)【要約】【課題】化粧料を内蔵する化粧用パフにおいて、使用に供する開封時まで、内蔵された化粧料をより新鮮な状態やより安定した状態に保持することが可能なものを提供する。【解決手段】少なくとも一部に化粧料３を外部へと透過させる透過部を備えたパフ本体２Ａと、パフ本体２Ａに内蔵され化粧料３が密封された破断可能な内袋５と、内袋５を破断するための破断機構８とを設けて、破断機構８を、内袋５に貫設されてその破断開始に供する破断開始部１５と、破断開始部１５に一部を係合させてパフ本体２Ａ外部に導出された糸状部材１４とにより構成し、糸状部材１４を外部から引張ることにより、内袋５が破断されて、化粧用パフ１Ａを開封することができるようにした。【選択図】図１
2008054971.tif 000002
【特許請求の範囲】
【請求項１】
内部に化粧料の収容部を有していて、少なくとも一部に化粧料を該収容部から外部へ透過させる透過部を備えて成るパフ本体と、該パフ本体の収容部に収納されていて上記化粧料が密封された格納室を有する破断可能な内袋と、該内袋を破断するための破断機構とを備えていて、該破断機構が、上記内袋に設けられてその破断開始に供する破断開始部と、該破断開始部に一部を係合させてパフ本体の外部に導出された開封部材とを有しており、該開封部材を引張ることで上記内袋を破断して、上記格納室を開封することができるように構成されている、ことを特徴とする化粧用パフ。
【請求項２】
上記内袋が、その破断方向に格納室を間に挟んで第１端と第２端とを有していて、上記破断機構の破断開始部が、該内袋の第１端における格納室に隣接した部位に貫設されており、糸状の上記開封部材が、該破断開始部に挿通されると共に、内袋の両面側においてそれぞれ上記第２端に向けて格納室を横断するように配置されている、ことを特徴とする請求項１に記載の化粧用パフ。
【請求項３】
上記内袋をその破断方向に保持する保持機構を有している、ことを特徴とする請求項２に記載の化粧用パフ。
【請求項４】
上記保持機構が、パフ本体に対して上記内袋の第１端を固定することにより構成されている、ことを特徴とする請求項３に記載の化粧用パフ。
【請求項５】
上記保持機構が、パフ本体内に収容された保持体に対して上記内袋の第１端を固定することにより構成されている、ことを特徴とする請求項３に記載の化粧用パフ。
【請求項６】
上記内袋が複数の格納室を有している、ことを特徴とする請求項１〜５の何れかに記載の化粧用パフ。
【請求項７】
上記内袋において複数の格納室が該内袋の破断方向に並設されている、ことを特徴とする請求項６に記載の化粧用パフ。
【請求項８】
上記内袋において複数の格納室が重畳されている、ことを特徴とする請求項６に記載の化粧用パフ。
【請求項９】
上記パフ本体の収容部に複数の内袋が収納されている、ことを特徴とする請求項１〜８の何れかに記載の化粧用パフ。
【請求項１０】
混合して使用する複数種類の化粧料が各格納室にそれぞれ個別に密封されている、ことを特徴とする請求項６〜９の何れかに記載の化粧用パフ。
【発明の詳細な説明】
【技術分野】
【０００１】
本発明は、化粧料を内蔵する化粧用パフに関するものである。
【背景技術】
【０００２】
従来から、化粧料を内蔵した化粧用パフとして、例えば特許文献１に示すように、化粧料としてのパウダーを通過させる布帛から形成され一部に開口を有するパフ本体と、該パフ本体の内部に配されて一部が開口した袋状のシート状物と、該シート状物内に収容されて包まれたパウダー入り内袋とから構成されたものが知られている。
この化粧用パフは、その内袋の一部がパウダーを透過させ易い素材から形成されていて、該内袋を上記シート状部材で包み込むことにより、未開封状態においては、内袋からこぼれ出たパウダーがパフ本体の外部に漏れるのを防止することができ、また、使用に供する際には、パフ本体に開設された上記開口からシート状物を外部に抜き去って開封することにより、パウダーがパフ本体を通じて外部に放出されるようになっている。
【０００３】
しかしながら、上述した公知の化粧用パフでは、未開封状態においてもパウダーが内袋やシート状物により密封されていないため、パウダーが外気と接して、例えば香り等の成分が揮発すること等により、使用に供する開封前にパウダーが劣化してしまう虞がある。
【０００４】
【特許文献１】特開２００２−５８５２９号公報
【発明の開示】
【発明が解決しようとする課題】
【０００５】
本発明の技術的課題は、化粧料を内蔵する化粧用パフにおいて、使用に供する開封時まで内蔵された化粧料をより新鮮な状態やより安定した状態に保持することが可能なものを提供することにある。
【課題を解決するための手段】
【０００６】
上記目的を達成するため、本発明によれば、内部に化粧料の収容部を有していて、少なくとも一部に化粧料を該収容部から外部へ透過させる透過部を備えて成るパフ本体と、該パフ本体の収容部に収納されていて上記化粧料が密封された格納室を有する破断可能な内袋と、該内袋を破断するための破断機構とを備えていて、該破断機構が、上記内袋に設けられてその破断開始に供する破断開始部と、該破断開始部に一部を係合させてパフ本体の外部に導出された開封部材とを有しており、該開封部材を引張ることで上記内袋を破断して、上記格納室を開封することができるように構成されていることを特徴とする化粧用パフが提供される。
【０００７】
そのとき、上記内袋が、その破断方向に格納室を間に挟んで第１端と第２端とを有していて、上記破断機構の破断開始部が、該内袋の第１端における格納室に隣接した部位に貫設されており、糸状の上記開封部材が、該破断開始部に挿通されると共に、内袋の両面側においてそれぞれ上記第２端に向けて格納室を横断するように配置されていると好ましい。
【０００８】
また、本発明に係る化粧用パフは、上記内袋をその破断方向に保持する保持機構を有していることが好ましい。
そのとき、該保持機構は、パフ本体に対して上記内袋の第１端を固定することにより構成したり、又は、パフ本体内に収容された保持体に対して上記内袋の第１端を固定することにより構成したりすることもできる。
【０００９】
さらに、本発明において、上記内袋は複数の格納室を有することができ、そのとき、該内袋においてこれら格納室は、該内袋の破断方向に並設されていても良いし、重畳させて配置されていても良い。また、上記パフ本体の収容部に複数の内袋を収納することも可能である。
そして、そのとき、上記各格納室には、同種の化粧料のみならず、混合して使用する複数種類の異なる化粧料をそれぞれ個別に密封することができる。
【発明の効果】
【００１０】
本発明の化粧用パフによれば、未開封状体では化粧料が内袋の格納室に密封されているため、使用に供する開封時まで内蔵された化粧料をより新鮮な状態やより安定した状態に保持することが可能である。また、開封操作もパフ本体の外部に導出された開封部材を引張れば足り、簡単な操作で内袋の格納室を開封して使用に供することができる。
【発明を実施するための最良の形態】
【００１１】
図１は本発明に係る化粧用パフの第１実施例を示すものである。この化粧用パフ１Ａは、柔軟で平面視が略円形をしたパフ本体２Ａと、該パフ本体２Ａ内に収容されていて、化粧パウダーやビタミンＣパウダーなどの粉体状の化粧料３が密封された格納室４を備えた内袋５Ａと、該内袋５Ａをパフ本体２Ａ内で保持する保持機構６Ａと、同じくパフ本体２Ａ内に配設されて化粧用パフ１Ａの中芯を成すクッション材７と、化粧用パフ１Ａを使用に供するにあたり、パフ本体２Ａの外部からの操作により上記内袋５Ａを破断して格納室４を開封する破断機構８とから構成されている。そして、上記パフ本体２Ａは、少なくともその一部に、上記破断機構８による開封に伴って上記格納室４からこぼれ出た化粧料３を外部へと透過させる透過部を備えている。
【００１２】
上記パフ本体２Ａは、上記化粧料３を自由に透過させない程度に目が細かい略円形の２枚の第１布帛２ａ及び第２布帛２ｂから成っている。そして、これら２枚の布帛２ａ，２ｂの周縁部同士を、互いに内側に折り返して外面同士を突き合わせた状態で、縫合等の手段により結合することによって、内部に上記内袋５Ａやクッション材７を収容するための収容部９が形成されている。ここで、上記第２布帛２ｂには、その表面の略全体にカット状のパイル１０が植設されていると共に、多数の孔１１が穿設されていて、上記開封により収容部９内にこぼれ出た化粧料３を、パフ本体２Ａの外部すなわち上記パイル１０へと透過させる上記透過部を形成している。
【００１３】
なお、上記パフ本体２Ａは、本実施例のような略円形に限られることなく、多角形や楕円形などの適宜の形状に形成することができる。また、上記パイル１０の形態も、カット状に限られることなくループ状など様々なものを採用することが可能である。さらに、上記第１布帛２ａ、第２布帛２ｂ及びパイル１０を形成する繊維としては、特に限定されるものではないが、例えばアクリル、ポリエステル又はレーヨンなどの化繊であることが望ましく、このとき、これら布帛２ａ，２ｂ及びパイル１０を形成する繊維の種類が互いに異なっていても良い。
【００１４】
図２に示す内袋５Ａは、粉体及び液体を透過させない、例えばＬＤＰＥ、ＬＬＤＰＥ、ＥＶＡ、延伸ポリプロピレン、未延伸ポリプロピレン、ポリスチレン、ポリエステル、延伸ナイロン、未延伸ナイロン、アルミ箔、エチレン・ビニル・アルコール、普通セロファン、ポリ・ビニル・アルコール、塩化ビニリデン、塩化ビニル等の合成樹脂等から成るシートにより形成されており、そのとき、該シートは、ヒートシール性を有し、少なくとも所定の方向（図中、Ｘ方向）に容易に引裂き可能なものであることが望ましい。そして、該内袋５Ａは、略同形同大の２枚の上記シートを重ね、その周囲を囲むようにヒートシールや接着剤等でシールして密閉することによって形成されており、上記パフ本体２Ａの収容部９内において、上記第２布帛２ｂに隣接させて配置されている。
具体的には、該内袋５Ａは、第１面５ａ及び第２面５ｂを形成する２枚の略矩形の合成樹脂シートを重ね、その引裂き容易な破断方向Ｘに沿った両側端部において、両シートを溶断等でシールすると共に、該破断方向両端部の第１端１２及び第２端１３において、両シートの内面同士を該破断方向Ｘと略直交する幅方向にヒートシール等で接着させてシールすることにより形成されている。すなわち、該内袋５Ａにおいては、その破断方向Ｘに沿って、これら第１端１２と第２端１３との間に、上記化粧料３を密封した格納室４が形成されている。
【００１５】
上記保持機構６Ａは、パフ本体２Ａに対して内袋５Ａの上記第１端１２を固定することにより構成されており、具体的には、パフ本体２Ａを形成する際に、上記２枚の布帛２ａ，２ｂの周縁部間に上記内袋５Ａの第１端１２を介在させ、該第１端１２を２枚の布帛２ａ，２ｂの周縁部と共に縫合等の手段で結合することにより構成されてる。すなわち、この保持機構６Ａにより、上記内袋５Ａが、その第１端１をパフ本体２Ａに固定されて、収容部９内で上記破断方向Ｘに対して保持されている。
【００１６】
上記クッション材７は、上記パフ本体２Ａの形状を保持することができると同時に、使用時に使用者の肌への当たりを緩することができる程度の柔軟性を備えたスポンジなどの発泡体によって形成されており、上記パフ本体２Ａの収容部９内において、上記内袋５Ａよりも第１布帛２ａ側、すなわち内袋５Ａと第１布帛２ａとの間に配置されている。なお、該クッション材７の形状は、特に限定されるものではないが、上記パフ本体２Ａと平面視形状が略同形であることが望ましい。
【００１７】
上記破断機構８は、上記内袋５Ａの第１端１２における上記格納室４に隣接した部位に配設されて内袋５Ａの破断開始に供する破断開始部１５と、該破断開始部１５に一部を係合させてパフ本体２Ａの外部へと導出された釣糸や縫糸等から成る糸状の開封部材１４とを有している。ここで、該開封部材１４は、上記２枚の布帛２ａ，２ｂ間における縫い目等、結合部分の隙間を通じてパフ本体２Ａの外部へと導出されており、該開封部材１４を外部から引張って引抜くことにより、上記破断開始部１５から上記破断方向Ｘに内袋５Ａが破断されて上記格納室４が開封されるようになっている。
上記破断開始部１５は、内袋５Ａの破断方向Ｘに沿って直線状に貫通するように切設した切込み等により形成され、該破断方向Ｘと略直交する幅方向の略中央部に設けられている。
上記糸状の開封部材１４は、該破断開始部１５に挿通させることにより該破断開始部１５に係合されており、内袋５Ａの第１面５ａ及び第２面５ｂにおいてそれぞれ上記第２端１３に向けて格納室４を横断し、該第２端１３側において合流している。そして、パフ本体２Ａの外部へと導出された開封部材１４の両端が、該開封部材１４を引張る際に把持するための把持片１６により結合されている。
なお、上記保持機構６Ａにおいて、内袋５Ａをパフ本体２Ａに固定するにあたっては、上記破断開始部１５が収容部９内に配置されように固定される。
【００１８】
上記化粧用パフ１Ａを使用するにあたっては、使用者が上記把持片１６を把持して糸状の開封部材１４を引張ることにより、破断開始部１５と係合した開封部材１４が、該破断開始部１５から内袋５Ａの両面５ａ，５ｂを破断方向Ｘに裂くように破断することで上記格納室４が開封される。このとき、上記保持機構６Ａにより内袋５Ａが、その第１端１２をパフ本体２Ａに固定されて、収容部９内でその破断方向Ｘすなわち開封部材１４の引張り方向に対して保持されているため、開封操作をよりスムーズに行うことができる。このようにして内袋５Ａの格納室４を開封すると、化粧料３がパフ本体２Ａの収容部９内に充填され、その一部が第２布帛２ｂに穿設された多数の孔１１を通じて外部へと透過して、塗布部を成す上記パイル１０に付着して保持される。そして、この塗布部を肌に当てることにより、化粧料３を肌に塗布することができる。
上記構成を有する化粧用パフ１Ａによれば、未開封状態では、化粧料３が上記内袋５Ａの格納室４内に密封されて外気と遮断されているため、香り成分等の揮発性成分の揮発や酸化などによる化粧料３の劣化も防止することができ、使用に供する開封時まで、化粧料３をより新鮮な状態に保持することができる。また、未開封状態においては、パフ本体２Ａを通じて化粧料が外部に漏れ出す虞がないため、漏れ出した化粧料により周囲が汚れるのを防ぐこともできる。  
【００１９】
図３及び図４は上記破断機構８の別態様を示したものであって、図３の破断機構８ａにおいては、内袋５Ａの第１端１２に貫設された破断開始部１７が、第２端１３に向けた略Ｖ字形の切込みにより形成されており、さらに、第２端１３における格納室４を介して対向する位置には、同じく略Ｖ字形に貫通する挿通部１８が切設されている。この場合、上記糸状の開封部材１４は、上記略Ｖ字形の破断開始部１７に挿通されて上記破断機構８と同様に内袋５Ａの周囲に架け回されるが、該内袋５Ａの第２端１３において、該開封部材１４における第２面５ｂ側に配された部分が、上記挿通部１８に挿通されて第１面５ａ側へと導かれ、該開封部材１４における第１面５ａ側に配された部分と合流している。
また、図４に示す破断機構８ｂにおいては、上記第２端１３における挿通部１９が略円形に穿設された孔により形成されており、この場合も、上記糸状の開封部材１４は、上記破断機構８，８ａと同様にして内袋５Ａの周囲に架け回されている。
【００２０】
なお、本実施例の化粧用パフ１Ａにおいては、パフ本体２Ａの透過部が多数の孔１１により形成されているが、それに限られるものではなく、例えば、第２布帛２ｂとして、化粧料３を適度に透過させることができる程度に目の粗いものを採用するなどしても良い。また、パフ本体２Ａを樹脂シートなど布帛以外の材料から形成しても良い。さらに、破断機構についても本実施例のものに限られることなく、開封部材１４を外部から引張ることによりパフ本体２Ａ内の内袋５Ａを破断して格納室４を開封することができるものであれば、如何なる構成を有していても良い。そのとき、該開封部材１４も糸状のものに限らず、可撓性を有するテープ状のもの等、破断機構の構成に応じて様々な形態のものを用いることができる。
【００２１】
図５は本発明の第２実施例を示したものである。
この化粧用パフ１Ｂにおいては、内袋５Ａの格納室４内に液体状の化粧料２０が密封されており、それに伴い、パフ本体２Ｂが、樹脂コートが施された布帛や樹脂シート等から成る液体を透過させないシート材２ｃと、ウレタン、海綿、コットン、ゴム、シリコン、ポリエチレン、蒟蒻（マンナン）、セルロース、レーヨンなどから成る液透過性を備えた塗布部材２ｄとによって構成されている。ここで、該パフ本体２Ｂは、上記シート材２ｃの周縁部を内側に折り返してその外面と上記塗布部材２ｄにおける内面の周縁部とを突き合わせ、これらを縫合等の手段で結合することにより形成されていて、同じく内部に収容部９を備えている。そして、これらシート材２ｃと塗布部材２ｄとを突き合わせた上記結合部分の隙間を通じて上記開封部材１４がパフ本体２Ｂの外部へと導出されている。また、本実施例においては、上記保持機構６Ａが、上記シート材２ｃの周縁部と塗布部材２ｄの内面との間に上記内袋５Ａの第１端１２を介在させ、該第１端１２をこれらシート材２ｃの周縁部と塗布部材２ｄと共に結合することにより構成されている。すなわち、該保持機構６Ａにより内袋５Ａが、その第１端１２をパフ本体２Ｂに固定されて、収容部９内でその破断方向Ｘに対して保持されている。なお、上記液体状の化粧料２０としては、化粧水、クリーム、乳液、クレンジング液、液体タイプのファンデーション、フレグランス、除光液等が挙げられる。                  
【００２２】
以上のように構成された化粧用パフ１Ｂを使用するにあたっては、上述した第１実施例と同様に、パフ本体２Ｂの外部から開封部材１４を引張り内袋５Ａを破断して格納室４を開封することにより、液体状の化粧料２０が該格納室４内からパフ本体２Ｂの収容部９内に流出して上記塗布部材２ｃに浸透するようになっている。そして、その化粧料２０が含浸した塗布部材２ｃを肌に当てることにより、化粧料２０を肌に塗布することができる。
なお、この第２実施例に係る化粧用パフ１Ｂにおけるその他の構成及びそれに伴う作用効果等については、上記第１実施例と同様であるから、説明の重複を避けるため、図面に同じ符号を付して説明を省略する。
【００２３】
図６は本発明の第３実施例を示したものである。
この化粧用パフ１Ｃは、パフ本体２Ｂの収容部９内に上記内袋５Ａを２つ備えており、該収容部９内において、これら内袋５Ａ，５Ａが、上下方向に重畳されて配設されている。そして、これら内袋５Ａ，５Ａの各格納室４，４には、例えば、混合することで効能、効果を発揮する２種類の化粧料、すなわち粉体状の化粧料３及び液体状の化粧料２０がそれぞれ個別に密封されている。そのため、本実施例においては、上記保持機構６Ａが、上記シート材２ｃの周縁部と塗布部材２ｄの内面との間に上記２つの内袋５Ａ，５Ａの第１端１２，１２を重ねて介在させ、該第１端１２，１２をこれらシート材２ｃの周縁部と塗布部材２ｄと共に結合することにより構成されている。すなわち、該保持機構６Ａによりこれら内袋５Ａ，５Ａが、それぞれ第１端１２をパフ本体２Ｂに固定されて、収容部９内で破断方向Ｘに対して保持されている。また、これら２つの内袋５Ａ，５Ａには、上記破断機構８がそれぞれ個別に設けられており、該破断機構８，８の各開封部材１４，１４がパフ本体２Ｂの外部へと導出されて、これら開封部材１４，１４の先端にそれぞれ上記把持片１６，１６が取り付けられている。
【００２４】
以上のように構成された化粧用パフ１Ｃを使用するにあたっては、パフ本体２Ｂの外部から２つの開封部材１４，１４をそれぞれ引張ることにより、それらに対応する内袋５Ａ，５Ａの格納室４，４が開封され、これら格納室４，４内にそれぞれ密封されていた粉体状の化粧料３及び液体状の化粧料２０がパフ本体２Ｂの収容部９内で混合されて、その混合物が塗布部材２ｄに浸透するようになっている。
このように、本実施例の化粧用パフ１Ｃによれば、混合により効能、効果を発揮する２種類の化粧料３，２０が、各内袋５Ａ，５Ａの格納室４，４にそれぞれ個別に密封されているため、使用に供する開封時まで活性化が抑制される等してより安定した新鮮な状態に保持される。
【００２５】
ここで、上記各格納室４，４にそれぞれ密封する化粧料は、本実施例のような粉状体３と液状体２０との組合せに限らず、粉状体３と粉状体３との組合せ、又は、液状体２０と液状体２０との組合せであっても良く、具体的には、酵素とビタミンＣ（アスコルビン酸）との組合せ、混合により塩分濃度やｐＨ値を調整可能にする２成分の組合せ、又は、混合により冷却や発熱をする２成分の組合せなどが考えられる。ただし、粉状体同士の組合せである場合には、上記パフ本体２Ｂに代えて第１実施例に示したパフ本体２Ａを用いることが望ましい。また、このとき、上記各格納室４，４にそれぞれ密封する化粧料は、必ずしも混合することで効能、効果を発揮する異なる種類のものである必要性はなく、同じ種類のものであっても良い。その場合、各内袋５Ａ，５Ａの破断機構８，８における開封部材１４，１４の先端にそれぞれ把持片１６，１６が個別に取り付けられているため、開封時に、一方の内袋５Ａのみを破断してその化粧料を使い切った後、他方の内袋５Ａを破断することにより、他方の内袋５Ａの化粧料をより新鮮な状態で利用することが可能となる。
【００２６】
さらに、本実施例においては、上記内袋５Ａの数を２つとしたが、それに限らず３つ以上であっても良く、また、本実施例においては、各内袋５Ａ，５Ａの破断機構８，８における開封部材１４，１４の先端にそれぞれ把持片１６，１６が個別に取り付けられているが、これら内袋５Ａ，５Ａを同時に破断する必要性がある場合には、これら開封部材１４，１４の先端を１つの把持片１６で結合しておくことも可能である。
なお、この第３実施例に係る化粧用パフ１Ｃにおけるその他の構成及びそれに伴う作用効果等については、上記第１実施例や第２実施例と同様であるから、説明の重複を避けるため、図面に同じ符号を付して説明を省略する。
【００２７】
図７は本発明の第４実施例を示したものである。
この化粧用パフ１Ｄにおいては、内袋５Ｂが略同形同大の３枚のシート（本実施例では略矩形のシート）から成っていて、上記内袋５Ａと同様に、それらシートを重ねてその周囲を囲むようにヒートシールや接着剤等でシールして密閉することにより形成されており、そのため、１つの内袋５Ｂ内に、２つの格納室４ａ，４ｂが上下方向に重畳されて形成されている。すなわち、該内袋５Ｂにおいては、その破断方向Ｘに沿って、その第１端１２と第２端１３との間に、重畳された２つの格納室４ａ，４ｂが形成されている。そして、これら格納室４ａ，４ｂにも、上記第３実施例と同様に、混合することにより効能、効果を発揮する２種類の化粧料３，２０がそれぞれ個別に密封されている。また、本実施例の破断機構８では、１本の開封部材１４が、内袋５Ｂの第１端１２において、上記３枚のシートを貫通する破断開始部１５に挿通され、該内袋５Ｂの第１面５ａ及び第２面５ｂにおいて、重畳された上記２つの格納室４ａ，４ｂを第１端１２から第２端１３に向けて横断するように配置されている。
【００２８】
以上のように構成された化粧用パフ１Ｄを使用するにあたっては、パフ本体２Ｂの外部から開封部材１４を引張ることにより、内袋５Ｂの２つの格納室４ａ，４ｂが同時に開封され、これら格納室４ａ，４ｂ内にそれぞれ密封されていた粉体状の化粧料３及び液体状の化粧料２０がパフ本体２Ｂの収容部９内で混合されて、その混合物が塗布部材２ｄに浸透するようになっている。
ここで、内袋５Ｂに形成する格納室の数は２つに限られるものではなく、３つ以上であっても良いのは勿論である。
なお、この第４実施例に係る化粧用パフ１Ｄにおけるその他の構成及びそれに伴う作用効果等については、上記第１実施例乃至第３実施例と同様であるから、説明の重複を避けるため、図面に同じ符号を付して説明を省略する。
【００２９】
図８は本発明の第５実施例を示したものである。
この化粧用パフ１Ｅにおいては、内袋５Ｃがその破断方向Ｘに沿って並設された２つの格納室４ｃ，４ｄを有していて、これら格納室４ｃ，４ｄに、上記第３実施例や第４実施例と同様に、混合することにより効能、効果を発揮する２種類の化粧料３，２０がそれぞれ個別に密封されている。
具体的には、該内袋５Ｃは、略同形同大の２枚のシート（本実施例では略矩形のシート）を重ねて、上記内袋５Ａと同様に、その周囲を囲むようにヒートシールや接着剤等でシールして密閉し、さらに、その破断方向Ｘの中間位置において該破断方向Ｘと略直交する幅方向にシールして中間シール部２１を設けることにより形成されている。すなわち、該内袋５Ｃにおいては、その破断方向Ｘに沿って、上記第１端１２と中間シール部２１との間及び中間シール部２１と第２端１３との間に、上記２つの格納室４ｃ，４ｄが順次形成されている。また、本実施例の破断機構８では、１本の開封部材１４が、内袋５Ｃの第１端１２において上記破断開始部１５に挿通され、該内袋５Ｃの第１面５ａ及び第２面５ｂにおいて、並設された上記２つの格納室４ｃ，４ｄを第１端１２から第２端１３に向けて順次横断するように配置されている。
【００３０】
以上のように構成された化粧用パフ１Ｅを使用するにあたっては、パフ本体２Ｂの外部から開封部材１４を引張ることにより、内袋５Ｃの２つの格納室４ｃ，４ｄが順次開封され、これら格納室４ｃ，４ｄに密封されていた粉体状の化粧料３及び液体状の化粧料２０がパフ本体２Ｂの収容部９内で混合されて、その混合物が塗布部材２ｄに浸透するようになっている。
ここで、上記各格納室４ｃ，４ｄにそれぞれ密封する化粧料は、必ずしも混合することで効能、効果を発揮する異なる種類のものである必要性はなく、同じ種類のものであっても良い。その場合、開封時に、内袋５Ｃの第１端１２側に配置された一方の格納室４ｃのみを破断してその化粧料を使い切った後、第２端１３側に配置された他方の格納室４ｄを破断することにより、他方の格納室４ｄの化粧料をより新鮮な状態で利用することが可能となる。また、内袋５Ｃに形成する格納室の数は２つに限られるものではなく、３つ以上であっても良いのは勿論である。
なお、この第５実施例に係る化粧用パフ１Ｅにおけるその他の構成及びそれに伴う作用効果等については、上記第１実施例乃至第４実施例と同様であるから、説明の重複を避けるため、図面に同じ符号を付して説明を省略する。
【００３１】
図９は本発明の第６実施例を示したものである。
この化粧用パフ１Ｆにおいて、パフ本体２Ｂ内の収容部９には、内袋５Ａの格納室４に密封された液体状の化粧料２０と、内袋５Ａ等により密封されていない化粧料２２とが収容されている。この密封されていない化粧料２２としては、活性炭等、外気に触れても品質の劣化や鮮度の低下を起こさないものを特に挙げることができ、このとき、該化粧料２２の形態は特に限定されるものではないが、粉状体又は粒体状であることが望ましい。
そして、この化粧用パフ１Ｆを使用するにあたっては、パフ本体２Ｂの外部から開封部材１４を引張ることにより内袋５Ａの格納室４が開封され、該格納室４に密封されていた液体状の化粧料２０と、密封されずに予めパフ本体２Ｂの収容部９内に充填されていた化粧料２２とが該収容部９内で混合されて、その混合物が塗布部材２ｄに浸透するようになっている。
【００３２】
ここで、上記内袋５Ａにより密封される化粧料は、本実施例のような液体状のものに限られるものではなく、粉体状のものであっても良いのは勿論である。ただし、内袋５により密封された化粧料が粉状体で、密封されていない上記化粧料２２が粉状体又は粒状体である場合には、上記パフ本体２Ｂに代えて第１実施例に示したパフ本体２Ａを用いることが望ましい。また、本実施例においても、必要に応じて、上述した第３実施例乃至第５実施例のように、収容部９内に複数の格納室４を配設することが可能である。
なお、この第６実施例に係る化粧用パフ１Ｆにおけるその他の構成及びそれに伴う作用効果等については、上記第１実施例乃至第５実施例と同様であるから、説明の重複を避けるため、図面に同じ符号を付して説明を省略する。  
【００３３】
図１０及び図１１は、本発明の第７実施例を示したものである。
この化粧用パフ１Ｇにおいては、保持機構６Ｂが、上記内袋５Ａをパフ本体２Ｂ内に収容された保持体２３に対して固定することにより構成されている。具体的には、図１１に示すように、上記保持体２３は、その平面視がパフ本体２Ｂの外形と略同形すなわち略円形に形成された環状体であって、合成樹脂等の比較的硬質の材料から成っており、該保持体２３における適宜の位置に対して上記内袋５Ａの第１端１２が接着や溶着等の固定手段２４により固定されている。そのとき、該内袋５Ａの第１端１２に設けられた上記破断開始部１５は、保持体２３の内側に配置されている。そして、該内袋５Ａ全体を保持体２３と共に上記パフ本体２Ｂの収容部９内に収容することにより、該内袋５Ａが、パフ本体２Ｂの収容部９内で保持体２３により、その破断方向Ｘに対して保持されている。このように、本実施例においては、保持機構６Ｂに保持された内袋５Ａ全体が、収容部９内に収納されているため、上記保持機構６Ａの場合のように内袋５Ａの一部がパフ本体外部に露出することがなく、より外観の優れたものとすることができる。
ここで、上記破断機構８による化粧用パフ１Ｇの開封操作をよりスムーズなものとするため、該保持機構６Ｂにおいて、上記保持体２３は、図１１に示すように、少なくとも内袋５Ａにおける格納室４の略全体を内側に含む程度の大きさであることが望ましい。
【００３４】
このような構成を有する化粧用パフ１Ｇによれば、外観が優れているばかりでなく、パフ本体２Ｂを開閉手段で開閉可能とすることにより、内袋５Ａの詰め替えを容易に行うことができるため、パフ本体２Ｂを有効に再利用することが可能となる。
なお、本実施例において、上記保持体２３は、パフ本体２Ｂと同形すなわち略円形の環状体に形成されるが、必ずしもその必要性はなく、保持機構６Ｂの機能を確保することが可能な範囲で、例えば、該保持体２３をパフ本体２Ｂの形状とは異なる多角形に形成したり、プレート状に形成したりすることなどが可能である。また、本実施例においては、必要に応じて、上述した第３実施例乃至第５実施例のような内袋や格納室の配置形態を採用することも可能である。
この第７実施例に係る化粧用パフ１Ｇにおけるその他の構成及びそれに伴う作用効果等については、上記第１実施例乃至第６実施例と同様であるから、説明の重複を避けるため、図面に同じ符号を付して説明を省略する。
【図面の簡単な説明】
【００３５】
【図１】本発明の化粧用パフの第１実施例を示す断面図である。
【図２】内袋を示す斜視図である。
【図３】内袋の破断機構の別態様を示す斜視図である
【図４】内袋の破断機構の他の別態様を示す斜視図である。
【図５】本発明の第２実施例を示す断面図である。
【図６】本発明の第３実施例を示す断面図である。
【図７】本発明の第４実施例を示す断面図である。
【図８】本発明の第５実施例を示す断面図である。
【図９】本発明の第６実施例を示す断面図である。
【図１０】本発明の第７実施例を示す断面図である。
【図１１】第７実施例における保持機構を示す平面図である。
【符号の説明】
【００３６】
１Ａ〜１Ｇ        化粧用パフ
２Ａ，２Ｂ        パフ本体
３，２０，２２    化粧料
４，４ａ〜４ｄ    格納室
５                内袋
６Ａ，６Ｂ        保持機構
８，８ａ，８ｂ    破断機構
９                収容部
１４              開封部材
１５，１７        破断開始部
Ｘ                破断方向
【図１】
2008054971.tif 000003
【図２】
2008054971.tif 000004
【図３】
2008054971.tif 000005
【図４】
2008054971.tif 000006
【図５】
2008054971.tif 000007
【図６】
2008054971.tif 000008
【図７】
2008054971.tif 000009
【図８】
2008054971.tif 000010
【図９】
2008054971.tif 000011
【図１０】
2008054971.tif 000012
【図１１】
2008054971.tif 000013